(57)【要約】【課題】ズーム機能を有する撮影部を搭載しても、表示部およびキー入力部が制約を受けず、設置領域を十分に確保できる。【解決手段】表示部５を有する第１ケース１とキー入力部７を有する第２ケース２とが回転軸３により互いに対向する第１、第２ケース１、２の各面方向に沿って回転可能に取り付けられた携帯電話機において、回転軸３内にズーム機能を有する撮影部４を回転軸３の軸方向に沿ってズーム移動可能に設けた。従って、ズーム機能を有する撮影部４によって被写体をズーム撮影することができる。また、撮影部４を第１、第２ケース１、２の回転中心である回転軸３内にその軸方向に沿ってズーム移動可能に設けたので、撮影部４がズーム機能を有していても、第１ケース１の表示部５および第２ケース２のキー入力部７が撮影部４によって制約を受けることがなく、表示部５およびキー入力部７の各設置領域を十分に確保できる。【選択図】        図２
2005020661.tif 000002
【特許請求の範囲】
【請求項１】
表示部を有する第１ケースとキー入力部を有する第２ケースとが回転軸により互いに対向する前記第１、第２ケースの各面方向に沿って回転可能に取り付けられた携帯電話機において、
前記回転軸内に、ズーム機能を有する撮影部を前記回転軸の軸方向に沿ってズーム移動可能に設けたことを特徴する携帯電話機。
【請求項２】
前記表示部は、前記第１、第２ケースを互いに重ね合わせて閉じた状態で外部に露出する前記第１ケースの外表面に設けられていることを特徴とする請求項１に記載の携帯電話機。
【請求項３】
前記キー入力部は、前記表示部の表示面と同じ方向を向いて前記第２ケースに設けられていることを特徴とする請求項２に記載の携帯電話機。
【請求項４】
前記撮影部は、その撮影方向を前記表示部の表示面と反対側に向けて前記回転軸に設けられていることを特徴とする請求項１〜３のいずれかに記載の携帯電話機。
【請求項５】
前記第２ケースの側面にシャッタスイッチが設けられていることを特徴とする請求項１〜４のいずれかに記載の携帯電話機。
【請求項６】
前記シャッタスイッチは、半押し状態のときに前記撮影部の前記ズーム機能を動作させ、完全に押し込んだときに前記撮影部で被写体の画像を取り込むことを特徴とする請求項５に記載の携帯電話機。
【請求項７】
前記回転軸を中心に前記第１、第２ケースを回転させて互いに重ね合わせて閉じたときに、前記第１ケースの表示部が横向き表示に切り替わり、前記回転軸を中心に前記第１、第２ケースを回転させて互いに離して開いたときに、前記第１ケースの表示部が縦向き表示に切り替わる表示切替手段を備えていることを特徴する請求項１〜６のいずれかに記載の携帯電話機。
【請求項８】
前記第１、第２ケースを互いに重ね合わせた状態から前記第１、第２ケースを互いに離して開いた状態に移行すると、前記撮影部を前記回転軸内に一旦格納する格納手段を備えていることを特徴する請求項１〜７のいずれかに記載の携帯電話機。
【発明の詳細な説明】
【０００１】
【発明の属する技術分野】
この発明は、携帯電話機に関し、更に詳しくは電話機能と撮影機能とを備えた携帯電話機に関する。
【０００２】
【従来の技術】
従来、携帯電話機には、電話機能を有するほかに、電話機本体にズーム機能を有する撮影部を設け、この撮影部で被写体の画像を画像データとして取り込む撮影機能を備えたものがある（例えば、特許文献１参照。）。
【０００３】
【特許文献１】
特開２００２−２７７７２３号公報
【０００４】
【発明が解決しようとする課題】
しかしながら、この特許文献１の携帯電話機では、撮影部がズーム機能を有するので、この撮影部で遠くに位置する被写体の画像を大きく撮影して取り込むことはできるが、撮影部を電話機本体の表面に設けた構造であるから、撮影部によって表示部やキー入力部が制約を受け、表示部やキー入力部の設置領域が狭くなるという問題がある。
【０００５】
この発明の課題は、ズーム機能を有する撮影部を搭載しても、表示部およびキー入力部が撮影部によって制約を受けず、表示部およびキー入力部の各設置領域を十分に確保できるようにすることである。
【０００６】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図１４に示すように、表示部（５）を有する第１ケース（１）とキー入力部（７）を有する第２ケース（２）とが回転軸（３）により互いに対向する前記第１、第２ケースの各面方向に沿って回転可能に取り付けられた携帯電話機において、前記回転軸内にズーム機能を有する撮影部（４、３５）を前記回転軸の軸方向に沿ってズーム移動可能に設けたことを特徴する携帯電話機である。
【０００７】
この発明によれば、撮影部がズーム機能を有しているので、この撮影部によって被写体の撮影範囲を調節することができるほか、特に撮影部が第１、第２ケースの回転中心である回転軸内にその軸方向に沿ってズーム移動可能に設けられているので、撮影部がズーム機能を有していても、第１ケースの表示部および第２ケースのキー入力部が撮影部によって制約を受けることがなく、表示部およびキー入力部の各設置領域を第１、第２ケースにそれぞれ十分に確保することができる。
【０００８】
請求項２に記載の発明は、図１〜図１２に示すように、前記表示部（５）が、前記第１、第２ケース（１、２）を互いに重ね合わせて閉じた状態で外部に露出する前記第１ケースの外表面に設けられていることを特徴とする請求項１に記載の携帯電話機である。
この発明によれば、回転軸を中心に第１、第２ケースをその面方向に回転させて重ね合わせて閉じた状態でも、また回転軸を中心に第１、第２ケースをその面方向に回転させて互いに離して開いた状態でも、表示部の表示面を常に外部に露出させることができ、これにより表示部に表示された情報をいつでも自由に見ることができるので、第１、第２ケースを閉じた状態でも、また開いた状態でも、表示部を見ながら被写体を撮影することができる。
【０００９】
請求項３に記載の発明は、図１〜図１２に示すように、前記キー入力部（７）が、前記表示部（５）の表示面と同じ方向を向いて前記第２ケース（２）に設けられていることを特徴とする請求項２に記載の携帯電話機である。
この発明によれば、第１、第２ケースを互いに面方向に離して開いた状態のときに、キー入力部が表示部の表示面と同じ向きに露出するので、表示部を見ながらキー操作をすることができ、また第１、第２ケースを互いに重ね合わせて閉じると、キー入力部の表面に第１ケースが重なって配置されるので、この第１ケースによってキー入力部を保護することができ、このため第１、第２ケースを互いに重ね合わせて閉じた状態で携帯するときに、キー入力部の誤動作を防ぐことができる。
【００１０】
請求項４に記載の発明は、図１〜図１４に示すように、前記撮影部（４、３５）が、その撮影方向を前記表示部（５）の表示面と反対側に向けて前記回転軸（３）に設けられていることを特徴とする請求項１〜３のいずれかに記載の携帯電話機である。
この発明によれば、第１、第２ケースを重ね合わせて閉じた状態でも、また第１、第２ケースを互いに面方向に離して開いた状態でも、撮影部の撮影方向が表示部の表示面と反対側に向いているので、撮影時に表示部に表示された被写体の画像を見ながら撮影することができ、これによっても使い勝手の良いものを得ることができる。
【００１１】
請求項５に記載の発明は、図１〜図１４に示すように、前記第１、第２ケース（１、２）のいずれか一方の側面に、シャッタスイッチ（８）が設けられていることを特徴とする請求項１〜４のいずれかに記載の携帯電話機である。
この発明によれば、シャッタスイッチが表示部またはキー入力部を制約することがないので、これによっても表示部およびキー入力部の設置領域を十分に確保することができるほか、特に第１、第２ケースのいずれか一方の側面にシャッタスイッチが設けられていることにより、第１、第２ケースを重ね合わせて閉じた状態でも、第１、第２ケースを互いに面方向に離して開いた状態でも、シャッタスイッチが常に外部に露出するので、シャッタスイッチを良好に操作することができる。この場合、例えばシャッタスイッチが回転軸の近傍に位置する第２ケースの側面に設けられていれば、第１、第２ケースを重ね合わせて閉じた状態で両手で持っても、また第１、第２ケースを互いに面方向に離して開いた状態で片手で持っても、その手の指が自然にシャッタスイッチに接触する位置に配置されるので、撮影時にシャッタスイッチを良好に操作することができる。
【００１２】
請求項６に記載の発明は、図１〜図１４に示すように、前記シャッタスイッチ（８）が、半押し状態のときに前記撮影部（４、３５）の前記ズーム機能を動作させ、完全に押し込んだときに前記撮影部で被写体の画像を取り込むことを特徴とする請求項５に記載の携帯電話機である。
この発明によれば、シャッタスイッチが半押し状態のときに撮影部のズーム機能を動作させるので、このときに被写体の撮影範囲を調節して被写体のアングルを設定することができ、この状態でシャッタスイッチが完全に押し込まれると、撮影部で被写体の画像を取り込むので、被写体の画像を所望するアングルで良好に撮影することができる。
【００１３】
請求項７に記載の発明は、図１〜図１４に示すように、前記回転軸（３）を中心に前記第１、第２ケース（１、２）を回転させて互いに重ね合わせて閉じたときに、前記第１ケース（１）の表示部（５）が横向き表示に切り替わり、前記回転軸を中心に前記第１、第２ケースを回転させて互いに離して開いたときに、前記第１ケース（１）の表示部（５）が縦向き表示に切り替わる表示切替手段を備えていることを特徴する請求項１〜６のいずれかに記載の携帯電話機である。
【００１４】
この発明によれば、表示切替手段によって第１、第２ケースを互いに重ね合わせたときに表示部が横向き表示に切り替わるので、この状態で撮影するときに被写体の画像を横向き状態で見ることができ、また表示切替手段によって第１、第２ケースを互いに面方向に離して開いたときに表示部が縦向き表示に切り替わるので、この状態で撮影するときに被写体の画像を縦向き状態で見ることができ、これにより撮影時に被写体の画像を横向き状態と縦向き状態とのいずれかの状態を選択して見ることができ、また第１、第２ケースを開いた状態で電話通信するときにも、表示部に表示された情報を縦向き状態で見ることができるので、撮影時においても電話通信時においても、表示部に表示された情報を見やすくすることができる。この場合、例えば表示部が長方形状に形成されていれば、表示切替手段によって横長表示と縦長表示とに切り替えることができ、これにより表示部に表示された情報を更に見やすくすることができる。
【００１５】
請求項８に記載の発明は、図１〜図１４に示すように、前記第１、第２ケース（１、２）を互いに重ね合わせた状態から前記第１、第２ケースを互いに離して開いた状態に移行すると、前記撮影部（４、３５）を前記回転軸（３）内に一旦格納する格納手段を備えていることを特徴する請求項１〜７のいずれかに記載の携帯電話機である。
この発明によれば、第１、第２ケースを互いに重ね合わせた状態から第１、第２ケースを互いに離して開いた状態に移行すると、格納手段によって撮影部が自動的に回転軸内に一旦格納されるので、第１、第２ケースを互いに離して開いた状態で電話通信するときに、撮影部が回転軸から外部に突出することがなく、このため撮影部が傷付いたり邪魔になったりせず、良好に使用することができる。
【００１６】
【発明の実施の形態】
以下、図１〜図１２を参照して、この発明の携帯電話機の一実施形態について説明する。
図１はこの発明の携帯電話機を閉じた状態を示した正面図、図２はその携帯電話機を上方から見た平面図、図３は図１の背面図、図４は図１の携帯電話機を開いた状態を示した正面図、図５は図４の背面図、図６は図１の携帯電話機を開く途中の状態を示した背面図である。
この携帯電話機は、電話機能と撮影機能とを有するものであり、互いに重なり合う第１ケース１と第２ケース２とを備え、これら第１、第２ケース１、２を回転軸３によって互いに対向する第１、第２ケース１、２の各面方向に沿って回転可能に取り付け、且つこの回転軸３内にズーム機能を有する撮影部４を設けた構成になっている。
【００１７】
第１ケース１は、図１および図２に示すように、ほぼ長方形状に形成され、第２ケース２と重なり合った状態で外部に露出する外表面における正面に表示部５および操作部６を設けた構成になっている。この表示部５は、液晶表示素子やＥＬ表示素子（エレクトロルミネッセンス表示素子）などの平面型の表示素子からなり、図１に示すように、第１ケース１に沿って細長い長方形状に形成され、電話機能に必要なデータおよび撮影部４で撮影した画像のデータなどの情報を電気光学的に表示するように構成されている。また、操作部６は、モードを切り替えるためのジォグダイヤル、通話のための通話釦、シフト釦などの各種の釦を備え、表示部５の右側（図４では下側）に位置し、且つ回転軸３に対応する位置に配置されている。
【００１８】
第２ケース２は、図４および図５に示すように、第１ケース１とほぼ同じサイズの大きさに形成され、第１ケース１が重なり合う対向面にキー入力部７が設けられ、図１に示す上辺側の上側面に図２に示すようにシャッタスイッチ８が設けられ、且つ回転軸３側に位置する右側面（図３では左側面）にアンテナ９がその側方に向けて出没可能に収納された構成になっている。この場合、キー入力部７は、テンキー、マナキー、メモキーなどの電話機能に必要な各種のキーを備え、図４に示すように、第２ケース２の縦長状態で各キーが第１ケース１に対向する第２ケース２の対向面に縦向きで配列されている。また、シャッタスイッチ８は、図２に示すように、回転軸３の近傍に位置する第２ケース２の上辺側の上側面に設けられ、半押し状態のときに撮影部４のズーム機能を動作させ、完全に押し込んだときに撮影部４で被写体の画像を取り込むように構成されている。
【００１９】
回転軸３は、図１および図２に示すように、ほぼ円筒状に形成され、互いに重なり合った第１、第２ケース１、２の一端部側（図２では右端部側）に位置し、第１ケース１の内部から第２ケース２を貫通してその背面側（図２では上側）に露出した状態で設けられ、第１ケース１側に位置する一端部側（図２では下端部側）の外周面に第１ケース１が固定され、第２ケース２側に位置する他端部側（同図では上端部側）の外周面に第２ケース２が回転可能に取り付けられ、これにより第１、第２ケース１、２が互いに面方向に回転するように構成されている。このため、第１、第２ケース１、２は、図１および図２に示すように、回転軸３を中心に互いに対向する第１、第２ケース１、２の各面方向に沿って相対的に回転して互いに重なり合って閉じた状態と、図４および図５に示すように、回転軸３を中心に互いに対向する第１、第２ケース１、２の各面方向に沿って相対的に１８０°回転して互いに離れて開いた状態とになるように構成されている。なお、第１、第２ケース１、２は、回転軸３を介して接続部材（図示せず）によって電気的に接続されている。
【００２０】
撮影部４は、ズーム機能として望遠機能を有するものであり、その撮影方向を第２ケース２の背面側に向けた状態で回転軸３の内部にその軸方向に沿ってズーム移動可能に設けられている。この撮影部４は、図７〜図９に示すように、回転軸３内に同心円状態で固定された円筒状の鏡胴１０と、この鏡胴１０の内部にその軸方向に沿って移動可能に配置された第１、第２レンズ枠１１、１２と、この第１、第２レンズ枠１１、１２にそれぞれ取り付けられた第１、第２レンズ１３、１４と、回転軸３内に水晶フィルタ１５および保護ガラス１６を介して回転軸３の軸方向である光軸上に配置されて第１、第２レンズ１３、１４で投影された被写体の画像を電気信号に変換して出力するＣＣＤなどの撮像素子１７と、第１、第２レンズ１３、１４の第１、第２レンズ枠１１、１２を光軸である回転軸３の軸方向に沿って移動させるズーム機構１８とを備えている。
【００２１】
すなわち、鏡胴１０の外周面には、その外面から内面に貫通するスリット状のガイド孔１０ａが回転軸３の軸方向に沿って設けられており、第１、第２レンズ枠１１、１２には、鏡胴１０のガイド孔１０ａに挿入されて鏡胴１０の外周面側に突出し、この状態でガイド孔１０ａに沿って移動する第１、第２突起部１１ａ、１２ａが設けられている。これにより、第１、第２レンズ枠１１、１２は、鏡胴１０内で回転することなく、回転軸３の軸方向に沿って第１、第２レンズ１３、１４と共に移動するように構成されている。ズーム機構１８は、回転軸３内における鏡胴１０の外周面に回転自在に設けられた回転筒１９と、この回転筒１９を回転させるためのズーム用のモータ２０とを備えている。
【００２２】
この場合、ズーム機構１８の回転筒１９は、鏡胴１０の外周面の所定位置にその軸方向に移動することなく回転可能に取り付けられており、この回転筒１９の内周面には、第１、第２螺旋溝１９ａ、１９ｂが設けられている。第１螺旋溝１９ａ内には、第１レンズ枠１１の第１突起部１１ａが鏡胴１０のガイド孔１０ａを通して挿入されており、第２螺旋溝１９ｂには、第２レンズ枠１２の第２突起部１２ａが鏡胴１０のガイド孔１０ａを通して挿入されている。また、この回転筒１９の外周面には、従動歯車２１が設けられている。モータ２０は、回転軸３の近傍に位置する第１ケース１内に固定され、その出力軸に駆動歯車２２が設けられ、この駆動歯車２２が回転筒１９の従動歯車２１に噛み合って回転することにより、モータ２０の回転が回転筒１９に伝達されるように構成されている。
【００２３】
従って、このズーム機構１８は、モータ２０が回転すると、その回転が駆動歯車１６および従動歯車２１によって回転筒１９に伝達され、これにより回転筒１９が回転し、この回転に伴って回転筒１９の第１、第２螺旋溝１９ａ、１９ｂが回転移動するので、このときに、第１、第２螺旋溝１９ａ、１９ｂが鏡胴１０のガイド孔１０ａと交差する個所において、第１、第２レンズ枠１１、１２の第１、第２突起部１１ａ、１２ａを回転筒１９の第１、第２螺旋溝１９ａ、１９ｂが鏡胴１０のガイド孔１０ａに沿って移動させ、これにより第１、第２レンズ枠１１、１２を第１、第２レンズ１３、１４と共に回転軸３の軸方向に移動させるように構成されている。
【００２４】
この場合、ズーム機構１８は、モータ２０が正回転して回転筒１９が図８に示す矢印Ｘ方向に回転すると、図９に示すように、第１螺旋溝１９ａが第１レンズ枠１１を回転軸３から外部に向けて移動させると共に、第２螺旋溝１９ｂが第２レンズ枠１２を回転軸３から外部に向けて移動させながら第１レンズ枠１１に接近させ、これにより撮影範囲を望遠状態にするように構成されている。また、このズーム機構１８は、モータ２０が逆回転して回転筒１９が矢印Ｘ方向と反対方向に回転すると、図７および図８に示すように、第１、第２レンズ枠１１、１２が回転軸３内に向けて移動し、第１、第２レンズ１３、１４を回転軸３の内部に格納するように構成されている。
【００２５】
ところで、回転軸３の近傍における第１、第２ケース１、２の対向面には、図２に示すように、光センサ部２３が設けられている。この光センサ部２３は、第１ケース１に設けられた発光素子２３ａと、第２ケース２に設けられた受光素子２３ｂとからなり、図１および図２に示すように第１、第２ケース１、２が互いに重なり合って閉じたときに、発光素子２３ａと受光素子２３ｂとが対向して発光素子２３ａで発光した光を受光素子２３ｂで受光することにより、第１、第２ケース１、２が重なり合った状態であることを検知し、また逆に発光素子２３ａと受光素子２３ｂとが対向せずに発光素子２３ａで発光した光を受光素子２３ｂで受光しないときに、第１、第２ケース１、２が互いに面方向に離れている状態であることを検知するように構成されている。
【００２６】
次に、この携帯電話機の回路構成について、図１０を参照して説明する。この携帯電話機の回路は、その回路全般を制御するＣＰＵ（中央演算処理装置）２５と、ＣＣＤなどの撮像素子１７からの画像信号を処理する画像処理回路２６と、ズーム用のモータ２０の駆動を制御するモータ駆動回路２７と、光センサ部２３の受光素子２３ｂからの検知信号を処理する検知回路２８と、シャッタスイッチ８のスイッチ操作に応じた電気信号を処理するスイッチ回路２９と、電話情報や撮影画像を表示する表示部５の駆動を制御する表示駆動回路３０と、操作部６およびキー入力部７からの入力信号を処理する入力処理回路３１と、通話情報や画像情報などの送信情報を処理してアンテナ９に送ると共にアンテナ９で受信した受信信号を処理する送受信回路３２とを備えている。
【００２７】
次に、この携帯電話機の表示切替制御処理およびズーム機能制御処理の動作フローについて、図１１および図１２を参照して説明する。この携帯電話機の表示切替制御処理は、図１１に示すように、この処理フローがスタートすると、光センサ部２３によって第１、第２ケース１、２が重なり合っているかを判断する（ステップＳ１）。このときには、光センサ部２３の発光素子２３ａと受光素子２３ｂとが対応して発光素子２３ａからの光を受光素子２３ｂが受光して検知信号を出力したかを判断し、発光素子２３ａからの光を受光素子２３ｂが受光して検知信号を出力すると、第１、第２ケース１、２が重なり合っていると判断し、表示部５の表示状態を横長状態に切り替え（ステップＳ２）、このフローを終了する。また、光センサ部２３の発光素子２３ａと受光素子２３ｂとが対向せずに発光素子２３ａで発光した光を受光素子２３ｂが受光しないときには、受光素子２３ｂから検知信号が出力されていないため、第１、第２ケース１、２が互いに面方向に離れていると判断し、表示部５の表示状態を縦長状態に切り替え（ステップＳ３）、このフローを終了する。
【００２８】
また、この携帯電話機のズーム機能制御処理は、図１２に示すように、この処理フローがスタートすると、光センサ部２３によって第１、第２ケース１、２が重なり合った状態から第１、第２ケース１、２が面方向に沿って相対的に回転して互いに離れた状態に移行したかを判断する（ステップＳ５）。すなわち、光センサ部２３の発光素子２３ａで発光した光を受光素子２３ｂで受光して検知信号を出力している状態から発光素子２３ａで発光した光を受光素子２３ｂが受光せずに検知信号を出力しない状態になったかを判断する。そして、光センサ部２３の受光素子２３ｂが発光素子２３ａの光を受光して検知信号を出力している状態から受光せずに検知信号を出力しない状態に変化したと判断すると、撮影部４のズーム機構１８を駆動して第１、第２レンズ１３、１４を回転軸３内に一旦格納する（ステップＳ６）。
【００２９】
このときには、図７および図８に示すように、撮影部４のズーム機構１８のモータ２０が逆回転し、このモータ２０の回転が駆動歯車２２および従動歯車２１を介して回転筒１９に伝達され、これにより図９に示す状態の回転筒１９が図８に示す矢印Ｘ方向と反対方向に回転する。すると、回転筒１９の第１、第２螺旋溝１９ａ、１９ｂが回転移動して第１、第２レンズ枠１１、１２の第１、第２突起部１１ａ、１２ａを鏡胴１０のガイド孔１０ａに沿って撮像素子１７側に向けて移動させるので、第１、第２レンズ枠１１、１２が回転軸３内に向けて移動し、第１、第２レンズ１３、１４が回転軸３の内部に格納される。この後、このフローを終了する。なお、ステップＳ５で光センサ部２３の受光素子２３ｂが光を受光している状態のままであれば、このフローを終了する。
【００３０】
このような携帯電話機では、電話機能と撮影機能とを備えているので、電話機能によって通信をすることができると共に、撮影機能によって被写体を撮影することができ、この撮影した被写体の画像を表示部５に表示させて見ることができる。すなわち、電話機能で通信する場合には、図４および図５に示すように、回転軸３を中心に第１、第２ケース１、２をその各面方向に沿って相対的にほぼ１８０°回転させて、第１、第２ケース１、２を互いに離して開く。これにより、図４に示すように、第２ケース２のキー入力部７が第１ケース１の表示部５の表示面と同じ向きで露出する。この状態で、操作部６およびキー入力部７を入力操作して通信相手と通話したり、通信相手にメールを送信したり、あるいは後述するように撮影した被写体の画像を送信したりすることができる。
【００３１】
また、撮影機能で被写体を撮影する場合には、図１〜図３に示すように、回転軸３を中心に第１、第２ケース１、２をその各面方向に沿って回転させて、第１、第２ケース１、２を互いに重ね合わせて閉じる。そして、互いに重なり合った第１、第２ケース１、２を横向きにしてその両側から両手で挟むように掴む。このときには、第１ケース１の表示部５を使用者に向けると、回転軸３内に設けられた撮影部４が被写体側に向く。この状態で、回転軸３の近傍に位置する第２ケース２の側面に設けられたシャッタスイッチ８を半分押すと、撮影部４のズーム機構１８が駆動されて第１、第２レンズ１３、１４が回転軸３から外部に向けて移動し、被写体の撮影範囲が望遠状態に調節される。
【００３２】
すなわち、このときには、図７および図８の状態（図２（Ａ）参照）で、ズーム機構１８のモータ２０が正回転し、このモータ２０の正回転が駆動歯車２２および従動歯車２１を介して回転筒１９に伝達され、これにより回転筒１９が図８に示す矢印Ｘ方向に回転するので、回転筒１９の第１、第２螺旋溝１９ａ、１９ｂが回転移動し、図９に示すように、第１、第２螺旋溝１９ａ、１９ｂが第１、第２レンズ枠１１、１２の第１、第２突起部１１ａ、１２ａをそれぞれ鏡胴１０のガイド孔１０ａに沿って移動させて、第１、第２レンズ枠１１、１２を第１、第２レンズ１３、１４と共に回転軸３の外部に向けて移動させる（図２（Ｂ）参照）。この状態で、シャッタスイッチ８が更に押されて完全に押し込まれると、第１、第２レンズ１３、１４で被写体の画像が撮像素子１７に投影され、この投影された画像が撮像素子１７によって電気信号に変換されて画像データとして取り込まれる。この取り込まれた画像データは、表示部５に画像として表示される。
【００３３】
また、この携帯電話機では、必ずしも第１、第２ケース１、２を互いに重ね合わせて閉じた状態で撮影する必要はなく、第１、第２ケース１、２を互いに面方向に離して開いた状態でも、撮影することができる。すなわち、このときには、図４および図５に示すように、第１、第２ケース１、２を互いに離して開き、この状態で第２ケース２の背面側に左手の掌を当てがって第２ケース２を左手で掴むと、左手の親指がシャッタスイッチ８に接触する位置に配置される。このため、片手で第２ケース２を持った状態で容易にシャッタスイッチ８を操作することができると共に、表示部５に被写体の画像を表示させることができ、この表示された画像を見ながら良好に撮影することができる。
【００３４】
このように、この携帯電話機によれば、撮影部４がズーム機能を有しているので、この撮影部４によって被写体の撮影範囲を望遠状態に調節し、遠くに位置する被写体の画像を大きく撮影することができるほか、特に撮影部４を第１、第２ケース１、２の回転中心である回転軸３内にその軸方向に沿ってズーム移動可能に設けたので、撮影部４がズーム機能を有していても、第１ケース１の表示部５および第２ケース２のキー入力部７が撮影部４によって制約を受けることがなく、表示部５およびキー入力部７の各設置領域を第１、第２ケース１、２にそれぞれ十分に確保することができる。この場合、回転軸３の一端部が第１ケース１の正面側に露出することなく、第１ケース１内に設けられているので、この回転軸３に対応する個所の第１ケース１の正面に操作部６を配置することができ、これによりキー入力部７の設置領域を、より一層、広くすることができる。
【００３５】
また、この携帯電話機では、第１、第２ケース１、２を互いに重ね合わせて閉じた状態で外部に露出する第１ケース１の外表面に表示部５が設けられているので、回転軸３を中心に第１、第２ケース１、２をその面方向に回転させて互いに重ね合わせて閉じた状態でも、また回転軸３を中心に第１、第２ケース１、２をその面方向に回転させて互いに離して開いた状態でも、表示部５の表示面を常に外部に露出させることができ、これにより表示部５に表示された情報をいつでも自由に見ることができるので、第１、第２ケース１、２を閉じた状態でも、また開いた状態でも、表示部５を見ながら被写体を撮影することができる。
【００３６】
この場合、キー入力部７が表示部５の表示面と同じ方向を向いて第２ケース２に設けられていることにより、第１、第２ケース１、２を互いに面方向に離して開いた状態のときに、キー入力部７が表示部５の表示面と同じ向きに露出するので、表示部５を見ながらキー入力部７をキー操作することができる。また、第１、第２ケース１、２を互いに重ね合わせて閉じると、キー入力部７の表面に第１ケース１が重なって配置されるので、この第１ケース１によってキー入力部７を保護することができ、このため第１、第２ケース１、２を互いに重ね合わせて閉じた状態で携帯するときに、キー入力部７の誤動作を防ぐことができる。また、撮影部４はその撮影方向を表示部５の表示面と反対側に向けて回転軸３に設けられているので、第１、第２ケース１、２を重ね合わせて閉じた状態でも、また第１、第２ケース１、２を面方向に互いに離して開いた状態でも、撮影時に表示部５に表示された被写体の画像を見ながら撮影することができ、これによっても使い勝手の良いものを得ることができる。
【００３７】
さらに、シャッタスイッチ８は、第２ケース２の側面に設けられているので、シャッタスイッチ８が表示部５やキー入力部７を制約することがなく、これによっても表示部５およびキー入力部７の設置領域を十分に確保することができるほか、特にシャッタスイッチ８が常に外部に露出するので、第１、第２ケース１、２を重ね合わせて閉じた状態でも、また第１、第２ケース１、２を互いに面方向に離して開いた状態でも、シャッタスイッチ８を良好に操作することができる。この場合、シャッタスイッチ８は、回転軸３の近傍に位置する第２ケース２の側面に設けられていることにより、図１および図２に示すように、第１、第２ケース１、２を重ね合わせて閉じた状態で、これらを両手で持っても、また図４に示すように、第１、第２ケース１、２を互いに面方向に離して開いた状態で、第２ケース２をその背面側から片手で持っても、その手の指をシャッタスイッチ８に容易に接触させることができ、このため撮影時にシャッタスイッチ８を良好に操作することができる。
【００３８】
また、シャッタスイッチ８は、半押し状態のときに撮影部４のズーム機能を動作させ、完全に押し込んだときに撮影部４で被写体の画像を取り込むことにより、シャッタスイッチ８を半押し状態にすると、撮影部４のズーム機能が動作し、これにより被写体の撮影範囲を望遠状態に調節して被写体のアングルを設定することができ、この状態でシャッタスイッチ８を完全に押し込むと、撮影部４で被写体の画像を取り込むことができるので、被写体の画像を所望するアングルで良好に撮影することができる。
【００３９】
さらに、この携帯電話機では、回転軸３を中心に第１、第２ケース１、２を回転させて互いに重ね合わせて閉じたときに、第１ケース１の表示部５が横長表示に切り替わり、回転軸３を中心に第１、第２ケース１、２を回転させて互いに離して開いたときに、第１ケース１の表示部５が縦長表示に切り替わるので、第１、第２ケース１、２を互いに重ね合わせた状態で撮影するときに、被写体の画像を横長状態で見ることができ、また第１、第２ケース１、２を互いに面方向に離して開いた状態で撮影するときに、被写体の画像を縦長状態で見ることができ、これにより撮影時に被写体の画像を横長状態と縦長状態のいずれかの状態を選択することができる。
【００４０】
この場合、第１、第２ケース１、２を互いに面方向に離して開いた状態で電話通信するときにも、表示部５に表示された情報を縦長状態で見ることができるので、撮影時においても、電話通信時においても、表示部５に表示された情報を見やすくすることができる。
さらに、第１、第２ケース１、２を互いに重ね合わせた状態から第１、第２ケース１、２を互いに離して開いた状態に移行すると、撮影部４の第１、第２レンズ１３、１４が回転軸３内に一旦格納されるので、電話通信時に撮影部４の第１レンズ１３が傷付いたり邪魔になったりせず、良好に使用することができる。
【００４１】
なお、上記実施形態では、撮影部４がズーム機能として望遠機能のみを有している場合について述べたが、これに限らず、例えば図１３および図１４に示す変形例のように、撮影部３５が、ズーム機能として望遠機能と広角機能との両方の機能を有する構造であっても良い。すなわち、この撮影部３５は、第１レンズ１３を保持する第１レンズ枠１１と、第２レンズ１４を保持する第２レンズ枠１２とをそれぞれ軸方向に沿って移動させるズーム機構３６が上記実施形態のズーム機構１８と異なる構造で、これ以外は上記実施形態とほぼ同じ構造になっている。
【００４２】
このズーム機構３６は、鏡胴１０の外周面に回転可能に設けられた回転筒１９の内面に、第１レンズ枠１１の第１突起部１１ａが挿入して移動する第１螺旋溝３７と、第２レンズ枠１２の第２突起部１２ａが挿入して移動する第２螺旋溝３８とを設けた構造になっている。この場合、第１螺旋溝３７は、モータ２０の正回転によって回転筒１９が図１３に示す矢印Ｘ方向に回転したときに、図１４に示すように、第１レンズ枠１１を回転軸３から外部に向けて移動させるように構成されている。また、第２螺旋溝３８は、モータ２０の正回転によって回転筒１９が図１３に示す矢印Ｘ方向に回転したときに、図１４に示すように、第２レンズ枠１２を回転軸３から外部に向けて移動させながら、第１レンズ枠１１に接近させた後、第２レンズ枠１２が第１レンズ枠１１から次第に離れるように構成されている。
【００４３】
これにより、このズーム機構３６は、第２レンズ枠１２が第１レンズ枠１１に接近しながら回転軸３から外部に向けて移動することにより、望遠状態となり、この状態で第２レンズ枠１２が第１レンズ枠１１から離れながら回転軸３内の撮像素子１７側に向けて移動することにより、広角状態になるように構成されている。なお、この変形例では、シャッタスイッチ８の近傍に、ズーム機能の切替スイッチ（図示せず）を設け、この切替スイッチによって望遠機能と広角機能とを切り替えるように構成されている。
【００４４】
このような撮像部３５では、切替スイッチを操作して望遠機能を選択し、この状態でシャッタスイッチ８を半押しすると、ズーム機構３６のモータ２０が正回転して回転筒１９を回転させ、この回転筒１９の第１、第２螺旋溝３７、３８が第１、第２レンズ枠１１、１２を回転軸３の外部に向けて移動させながら、第２レンズ枠１２を第１レンズ枠１１に接近させるので、望遠状態となり、これにより望遠撮影ができる。また、切替スイッチを操作して広角機能を選択し、この状態でシャッタスイッチ８を半押しすると、ズーム機構３６のモータ２０が正回転して回転筒１９を回転させ、この回転筒１９の第１、第２螺旋溝３７、３８が第１、第２レンズ枠１１、１２を回転軸３の外部に向けて移動させながら、第２レンズ枠１２を第１レンズ枠１１に一旦接近させた後に第１レンズ枠１１から撮像素子１７側に向けて離すので、広角状態となり、これにより広角撮影ができる。
【００４５】
なお、上記実施形態およびその変形例では、シャッタスイッチ８を回転軸３の近傍における第２ケース２の上辺側の上側面に設けた場合について述べたが、これに限らず、回転軸３の近傍における第１ケース１の上辺側の上側面に設けても良く、また必ずしも回転軸３の近傍に設ける必要はなく、第１、第２ケース１、２の側面に設けられた構造であれば良い。
また、上記実施形態およびその変形例では、第１ケース１に操作部６を設けた場合について述べたが、これに限らず、例えば第２ケース２にキー入力部７と共に操作部６を設けた構造でも良い。このようにすれば、表示部５の表示面積を上記実施形態の場合よりも広くすることができる。
【００４６】
【発明の効果】
以上説明したようにこの発明によれば、表示部を有する第１ケースとキー入力部を有する第２ケースとが回転軸により互いに対向する第１、第２ケースの各面方向に沿って回転可能に取り付けられた携帯電話機において、回転軸内にズーム機能を有する撮影部を回転軸の軸方向に沿ってズーム移動可能に設けたので、ズーム機能を有する撮影部によって被写体の撮影範囲を調節することができるほか、特に撮影部が第１、第２ケースの回転中心である回転軸内にその軸方向に沿ってズーム移動可能に設けられているので、撮影部がズーム機能を有していても、第１ケースの表示部および第２ケースのキー入力部が撮影部によって制約を受けることがなく、表示部およびキー入力部の各設置領域を第１、第２ケースにそれぞれ十分に確保することができる。
【００４７】
この場合、表示部が第１、第２ケースを互いに重ね合わせて閉じた状態で外部に露出する第１ケースの外表面に設けられていることにより、回転軸を中心に第１、第２ケースをその面方向に回転させて重ね合わせて閉じた状態でも、また回転軸を中心に第１、第２ケースをその面方向に回転させて互いに離して開いた状態でも、表示部の表示面を常に外部に露出させることができ、これにより表示部に表示された情報をいつでも自由に見ることができるので、第１、第２ケースを閉じた状態でも、また開いた状態でも、表示部を見ながら被写体を撮影することができる。
【００４８】
また、キー入力部が表示部の表示面と同じ方向を向いて第２ケースに設けられていることにより、第１、第２ケースを互いに面方向に離して開いた状態のときに、キー入力部が表示部の表示面と同じ向きに露出するので、表示部を見ながらキー操作をすることができ、また第１、第２ケースを互いに重ね合わせて閉じると、キー入力部の表面に第１ケースが重なって配置されるので、この第１ケースによってキー入力部を保護することができ、このため第１、第２ケースを互いに重ね合わせて閉じた状態で携帯するときに、キー入力部の誤動作を防ぐことができる。
【００４９】
さらに、撮影部がその撮影方向を表示部の表示面と反対側に向けて回転軸に設けられていることにより、第１、第２ケースを重ね合わせて閉じた状態でも、また第１、第２ケースを面方向に互いに離して開いた状態でも、撮影時に表示部に表示された被写体の画像を見ながら撮影することができ、これによっても使い勝手の良いものを得ることができる。
また、第１、第２ケースのいずれか一方の側面にシャッタスイッチが設けられていることにより、シャッタスイッチが表示部またはキー入力部を制約することがないので、これによっても表示部およびキー入力部の設置領域を十分に確保することができるほか、特に第１、第２ケースを重ね合わせて閉じた状態でも、第１、第２ケースを互いに面方向に離して開いた状態でも、シャッタスイッチが常に外部に露出するので、シャッタスイッチを良好に操作することができる。
【００５０】
この場合、シャッタスイッチが回転軸の近傍に位置する第２ケースの側面に設けられていることにより、第１、第２ケースを重ね合わせて閉じた状態で両手で持っても、また第１、第２ケースを互いに面方向に離して開いた状態で片手で持っても、手の指がシャッタスイッチに自然に接触する位置に配置されるので、撮影時にシャッタスイッチを良好に操作することができる。また、シャッタスイッチが半押し状態のときに撮影部のズーム機能を動作させるので、このときに被写体の撮影範囲を調節して被写体のアングルを設定することができ、この状態でシャッタスイッチが完全に押し込まれると、撮影部で被写体の画像を取り込むので、被写体の画像を所望するアングルで良好に撮影することができる。
【００５１】
また、表示切替手段によって第１、第２ケースを互いに重ね合わせたときに表示部が横向き表示に切り替わるので、この状態で撮影するときに被写体の画像を横向き状態で見ることができ、また表示切替手段によって第１、第２ケースを互いに面方向に離して開いたときに表示部が縦向き表示に切り替わるので、この状態で撮影するときに被写体の画像を縦向き状態で見ることができ、これにより撮影時に被写体の画像を横向き状態と縦向き状態とのいずれかの状態を選択して見ることができ、また第１、第２ケースを開いた状態で電話通信するときにも、表示部に表示された情報を縦向き状態で見ることができるので、撮影時においても、電話通信時においても、表示部に表示された情報を見やすくすることができる。
【００５２】
この場合、例えば表示部が長方形状に形成されていれば、表示切替手段によって横長表示と縦長表示とに切り替えることができ、これにより表示部に表示された情報を更に見やすくすることができる。
さらに、第１、第２ケースを互いに重ね合わせた状態から第１、第２ケースを互いに離して開いた状態に移行すると、格納手段によって撮影部が自動的に回転軸内に一旦格納されるので、第１、第２ケースを互いに離して開いた状態で電話通信するときに、撮影部が回転軸から外部に突出することがなく、このため撮影部が傷付いたり邪魔になったりせず、良好に使用することができる。
【図面の簡単な説明】
【図１】この発明の携帯電話機を閉じた状態で撮影する場合を示した正面図。
【図２】図１の平面図であり、（Ａ）は撮影部を収納した状態を示した平面図、（Ｂ）は撮影部をズーム駆動させた状態を示した平面図。
【図３】図１の背面図。
【図４】図１の携帯電話機を開いた状態の正面図。
【図５】図４の背面図。
【図６】図３の携帯電話機を開く途中の状態を示した背面図。
【図７】図２の撮影部を示した要部の拡大断面図。
【図８】図７の撮影部においてガイド孔でガイドされる第１、第２レンズ枠の第１、第２突起部と回転筒の第１、第２螺旋溝との関係を示した図。
【図９】図８の撮影部においてズーム状態を示した図。
【図１０】図１の携帯電話機の回路構成を示したブロック図。
【図１１】図１０の表示部の表示切替制御処理の動作フローを示した図。
【図１２】図１０の撮影部のズーム制御処理の動作フローを示した図。
【図１３】この発明の撮影部の変形例を示した図。
【図１４】図１３の撮影部においてズーム状態を示した図。
【符号の説明】
１  第１ケース
２  第２ケース
３  回転軸
４、３５  撮影部
５  表示部
６  操作部
７  キー入力部
８  シャッタスイッチ
９  アンテナ
１０  鏡胴
１０ａ  ガイド孔
１１、１２  第１、第２レンズ枠
１１ａ、１２ａ  第１、第２突起部
１３、１４  第１、第２レンズ
１７  撮像素子
１８、３６  ズーム機構
１９  回転筒
１９ａ、３７  第１螺旋溝
１９ｂ、３８  第２螺旋溝
２０モータ
２３  光センサ部
２５  ＣＰＵ
２６  画像処理回路
２７  モータ駆動回路
２８  検知回路
２９  スイッチ回路
３０  表示駆動回路
３１  入力処理回路
３２  送受信回路
【図１】
2005020661.tif 000003
【図２】
2005020661.tif 000004
【図３】
2005020661.tif 000005
【図４】
2005020661.tif 000006
【図５】
2005020661.tif 000007
【図６】
2005020661.tif 000008
【図７】
2005020661.tif 000009
【図８】
2005020661.tif 000010
【図９】
2005020661.tif 000011
【図１０】
2005020661.tif 000012
【図１１】
2005020661.tif 000013
【図１２】
2005020661.tif 000014
【図１３】
2005020661.tif 000015
【図１４】
2005020661.tif 000016